(57)【要約】【課題】テニスコートのラインに付着した埃・泥等の容易に除去する清掃を可能にし、テニスコートのネットの高さも容易に設定できる。【解決手段】棒状部材５の、一方の端部に、ほうき部２を備え、毛束部２２の幅方向の長さがテニスコート用ライン１０の幅方向の長さに対応し、毛束部２２には、毛束部２２の外周を巻回して、毛束部２２の長さを調整することが可能なリング状部材４が設けられ、毛束部２２の幅方向でテニスコート用ライン１０の上を掃くことが可能であり、棒状部材５の、他方の端部に、ライン摺動部３を備え、テニスコート用ライン１０の幅方向の長さと同一の長さの幅を備え、孔部３９が形成され、ライン摺動部３の先端側に、テニスコート用ライン１０の幅方向と同一の長さの円弧が形成されたライン摺動縁部が形成されているテニスコート用ライン清掃具１を提供する。【選択図】図１
2010077641.tif 000002
【特許請求の範囲】
【請求項１】
棒状部材の、一方の端部には、毛束部が設けられ、前記毛束部の先端部側をテニスコート用ラインに接触させて移動することで前記テニスコート用ラインの上を掃くことが可能なほうき部が設けられ、
前記棒状部材の、他方の端部には、
前記棒状部材の前記他方の端部に取り付けられた軸部と、
前記軸部が組み込まれた端面部と、前記端面部に組み込まれた前記軸部に垂直に連結された前記棒状部材が地面に対して垂直に起立するように、前記端面部に対向して、前記端面部と平行に形成された底面部と、前記底面部と前記端面部との間にわたって、前記底面部及び前記端面部を横断する方向に互いに対向して形成された、平面部と、前記平面部同士との間に挟み込まれ、前記底面部及び前記端面部の側方に形成された側面部と、を備え、一方の前記平面部から他方の前記平面部を貫通した孔部が形成された本体部と、を備えたライン摺動部が設けられていることを特徴とするテニスコート用ライン清掃具。
【請求項２】
前記ほうき部の前記毛束部には、前記毛束部の外周を巻回して、前記毛束部の前記先端部から根元へ向けての前記毛束部の長さを調整することが可能なリング状部材を備えたことを特徴とする請求項１に記載のテニスコート用ライン清掃具。
【請求項３】
前記ライン摺動部の前記本体部の先端側の、前記底面部と一方の前記平面部となす辺部は、前記底面部と一方の前記平面部とを連続して連結する円弧である第一ライン摺動縁部が形成されているか、或いは、前記底面部と他方の前記平面部となす辺部は、前記底面部と他方の前記平面部とを連続して連結する円弧である第二ライン摺動縁部が形成されていることを特徴とする請求項１に記載のテニスコート用ライン清掃具。
【請求項４】
前記ライン摺動部の前記本体部の先端側の、前記底面部と一方の前記平面部となす辺部は、前記底面部と一方の前記平面部とを連続して連結する円弧である第一ライン摺動縁部が形成され、前記底面部と他方の前記平面部となす辺部は、前記底面部と他方の前記平面部とを連続して連結する円弧である第二ライン摺動縁部が形成されていることを特徴とする請求項１に記載のテニスコート用ライン清掃具。
【請求項５】
前記第一ライン摺動縁部の長さと前記第二ライン摺動縁部の長さとが異なることを特徴とする請求項３又は４に記載のテニスコート用ライン清掃具。
【請求項６】
前記第一ライン摺動縁部の長さと前記第二ライン摺動縁部の長さの短い方である前記第一ライン摺動縁部の長さは、他方の前記平面部側に、前記第一ライン摺動縁部の長さを示す二本のラインである目印表示として前記底面部と前記端面部との間に前記底面部から前記端面部にわたって形成されていることを特徴とする請求項３乃至５のいずれかに記載のテニスコート用ライン清掃具。
【請求項７】
前記第一ライン摺動縁部の長さと前記第二ライン摺動縁部の長さの短い方である前記第二ライン摺動縁部の長さは、一方の前記平面部側に、前記第二ライン摺動縁部の長さを示す二本のラインである目印表示として前記底面部と前記端面部との間に前記底面部から前記端面部にわたって形成されていることを特徴とする請求項３乃至５のいずれかに記載のテニスコート用ライン清掃具。
【請求項８】
前記円弧の半径は１．０ｍｍから２．０ｍｍの範囲内であることを特徴とする請求項３乃至７のいずれかに記載のテニスコート用ライン清掃具。
【請求項９】
前記本体部の前記側面部は、対向する前記平面部のそれぞれの側方から突出して折れ曲がり、第一側面部と第二側面部とを備え、前記第一側面部が一方の前記平面部と連続し、前記第二側面部が他方の前記平面部と連続し、前記第一側面部が一方の前記平面部に対して鋭角で立ち上がり、前記第二側面部が他方の前記平面部に対して鋭角で立ち上がっていることを特徴とする請求項１に記載のテニスコート用ライン清掃具。
【請求項１０】
前記本体部の一方の前記平面部側には、前記第二ライン摺動縁部の長さを示す二本のラインである目印表示が前記底面部と前記端面部との間に前記底面部から前記端面部にわたって形成されており、前記本体部の他方の前記平面部側には、前記第一ライン摺動縁部の長さを示す二本のラインである目印表示が前記底面部と前記端面部との間に前記底面部から前記端面部にわたって形成されていることを特徴とする請求項９に記載のテニスコート用ライン清掃具。
【請求項１１】
前記本体部の、一方の前記平面部側及び他方の前記平面部で、前記底面部と前記端面部との間に形成される前記目印表示は、前記本体部の、一方の前記平面部側及び他方の前記平面部側に貼付された、直線状の、前記本体部の色彩とは異なる色彩のテープであることを特徴とする請求項１０に記載のテニスコート用ライン清掃具。
【請求項１２】
前記ライン摺動部は、前記棒状部材の前記他方の端部に着脱可能に取り付けられていることを特徴とする請求項１に記載のテニスコート用ライン清掃具。
【請求項１３】
テニスコート面に前記ライン摺動部の前記底面部を当接することで、前記ライン摺動部の前記底面部を基準に、テニスコートの規定のネットの高さと同じ長さの位置に、ネット高さ指示部を前記棒状部材に設けたことを特徴とする請求項１に記載のテニスコート用ライン清掃具。
【請求項１４】
前記ネット高さ指示部は、前記棒状部材の長手方向を横断する方向に前記棒状部材に貼付されたリング状の、前記棒状部材の色彩とは異なる色彩のテープであることを特徴とする請求項１３に記載のテニスコート用ライン清掃具。
【発明の詳細な説明】
【技術分野】
【０００１】
本発明は、テニスコートのラインに付着した泥等の汚れを除去するためのテニスコート用ライン清掃具に関する。
【背景技術】
【０００２】
テニスコートの清掃に関しては、テニスコート全体の清掃を考慮した技術を中心に展開されており、直接的にテニスコートの使用に際してのテニスコートの使い易さを向上させる、テニスコートの整備を含めた清掃に関してはあまり関心が向けられていなかった。例えば、実開平７−１２５８１では、パイプの円周の一部又は全周に多数の穴を開けた物を作り道路等の側溝として利用することで、集水した雨水等を地下に浸透させて地下水や樹木の灌用水として自然に返して利用すること  が可能となる（特許文献１）、ということである。
【０００３】
そのため、テニスコートの使用に際してのテニスコートの使い易さを向上させるめに、例えば、テニスコートのラインの上に埃、泥等が付着した場合には、ほうきで掃くことによってテニスコートのラインの清掃を行っていた。また、テニスコートのネットを設定するに際しては、物差し等の寸法を測る道具を用いて、ネットの高さの設定を行わざるを得なかった。つまり、テニスコートを使用するに際しては、ほうき、物差し等を準備する必要があった。
【特許文献１】実開平７−１２５８１
【発明の開示】
【発明が解決しようとする課題】
【０００４】
しかしながら、テニスコートのラインの上に埃、泥等が付着した場合には、ほうきで単に掃くだけでは、ラインの上に載った埃、泥等をきれいに除去することが難しい。特に、雨等が降って、ラインの上に載った埃、泥等が乾くとほうきで掃いただけでは、ラインの上に載った埃、泥等を除去することが難しい。そのような場合には、ほうきとは別体のヘラ等を用いてラインの上に載った埃、泥等を削り、ラインの上に載った埃、泥等を除去することになる。その際、ヘラ等の尖った先端がラインを傷つける場合もあり、ヘラ等でラインの上に載った埃、泥等を除去するには、慎重に行う必要があった。
【０００５】
また、テニスコートにネットを設定するに際しては、通常、物差し等の道具を用いて行うが、テニスのゲームで使用するラケット、ボールとは異なるため、テニスコートに来る際に持ってくることを忘れることがある。さらに、ネットの高さを設定するに際しては、物差し等の道具をテニスコート面に当ててネットの高さを測ることになるが、物差し等の道具は薄く成形されているため、物差し等の道具の底面をテニスコート面に当ててもうまく当たらず物差し等の道具を傾いた状態でネットの高さを設定しがちになる。特に、風が強い日には物差し等の道具を傾いた状態でネットの高さを設定し易い
【０００６】
本発明は上記の事情に鑑みなされたものであり、ラインの上に載った埃、泥等を容易に除去する清掃を可能にし、テニスコートのネットの設定も容易にすることを可能にするテニスコート用ライン清掃具を提供することを目的とする。
【課題を解決するための手段】
【０００７】
上記の目的を達成するために、請求項１に記載の発明は、棒状部材の、一方の端部には、毛束部が設けられ、前記毛束部の先端部側をテニスコート用ラインに接触させて移動することで前記テニスコート用ラインの上を掃くことが可能なほうき部が設けられ、前記棒状部材の、他方の端部には、前記棒状部材の前記他方の端部に取り付けられた軸部と、前記軸部が組み込まれた端面部と、前記端面部に組み込まれた前記軸部に垂直に連結された前記棒状部材が地面に対して垂直に起立するように、前記端面部に対向して、前記端面部と平行に形成された底面部と、前記底面部と前記端面部との間にわたって、前記底面部及び前記端面部を横断する方向に互いに対向して形成された、平面部と、前記平面部同士との間に挟み込まれ、前記底面部及び前記端面部の側方に形成された側面部と、を備え、一方の前記平面部から他方の前記平面部を貫通した孔部が形成された本体部と、を備えたライン摺動部が設けられていることを特徴とする。
【０００８】
従って、請求項１に記載の発明によれば、一方の端部にほうき部が設けられ、ほうき部の毛束部の先端側である端部側をテニスコート用ラインに接触させて、ほうき部の毛束部をテニスコート用ライン上で移動することでテニスコート用ライン上を掃くことが可能になり、テニスコート用ラインの清掃を行うことが可能になる。また、棒状部材の他方の端部には、ライン摺動部が設けられており、ライン摺動部は軸部と本体部とから構成されており、軸部は本体部の端面部に組み込まれ、軸部は棒状部材に連結され、端面部に対向する、底面部が端面部と平行に形成されているため、軸部に連結された棒状部材は地面に対して垂直に起立することが可能になる。さらに、平面部同士（正面部及び背面部）が、底面部と端面部との間にわたって、底面部及び端面部を横断する方向に互いに対向して形成されることで、一方の平面部（正面部）と底面部とで形成された辺部及び、他方の平面部（背面部）と底面部とで形成された辺部（ライン摺動部（本体部））がテニスコート用ラインの上を摺動することで、テニスコート用ラインの上に付着した埃、泥等をテニスコート用ラインから分離させることが可能になる。また、ライン摺動部（本体部）にはライン摺動部（本体部）を貫通する孔部（一方の平面部（正面部）から他方の平面部（背面部）を貫通した孔部）が設けられているため、清掃終了後に室内の端の方に設けられたフック部にテニスコート用ライン清掃具を掛けることでの整理整頓をし易くすることを可能にする。
【０００９】
また、請求項２に記載の発明は、請求項１に記載の構成に加え、前記ほうき部の前記毛束部には、前記毛束部の外周を巻回して、前記毛束部の前記先端部から根元へ向けての前記毛束部の長さを調整することが可能なリング状部材を備えたことを特徴とする。
【００１０】
従って、請求項２に記載の発明によれば、ほうき部の毛束部には、移動可能な、毛束部の外周を巻回しているリング状部材を備えているため、毛束部の先端部から根元である棒状部材側へ向けての毛束部の長さを調整して毛束部の長さを設定して、テニスコート用ラインを清掃する際に毛束部がテニスコート用ラインに接触する際の毛束部の強度を上げることが可能になり、単にほうき部の根元（植毛部）から先端部までを毛束部として使用する場合に比べ掃く力の増強が可能になる。
【００１１】
さらに、請求項３に記載の発明は、請求項１に記載の構成に加え、前記ライン摺動部の前記本体部の先端側の、前記底面部と一方の前記平面部となす辺部は、前記底面部と一方の前記平面部とを連続して連結する円弧である第一ライン摺動縁部が形成されているか、或いは、前記底面部と他方の前記平面部となす辺部は、前記底面部と他方の前記平面部とを連続して連結する円弧である第二ライン摺動縁部が形成されていることを特徴とする。
【００１２】
従って、請求項３に記載の発明によれば、前記ライン摺動部の本体部の先端側に、円弧部である第一ライン摺動縁部、或いは第二ライン摺動縁部が形成されているため、テニスコート用ライン上を容易に摺動することが可能になるとともに、第一ライン摺動縁部、或いは第二ライン摺動縁部がテニスコート用ラインを摺動することで、テニスコート用ラインを固定するために、テニスコート用ラインに設けられたピン等に、第一ライン摺動縁部、或いは第二ライン摺動部が当接してもライン摺動部の第一ライン摺動縁部、或いは第二ライン摺動縁部が円弧部となっているため、ピン等を容易に乗り上げて通過することが可能になり、ライン摺動部のテニスコート用ライン上の摺動を円滑に行うことが可能になる。
【００１３】
また、請求項４に記載の発明は、請求項１に記載の構成に加え、前記ライン摺動部の前記本体部の先端側の、前記底面部と一方の前記平面部となす辺部は、前記底面部と一方の前記平面部とを連続して連結する円弧である第一ライン摺動縁部が形成され、前記底面部と他方の前記平面部となす辺部は、前記底面部と他方の前記平面部とを連続して連結する円弧である第二ライン摺動縁部が形成されていることを特徴とする。
【００１４】
従って、請求項４に記載の発明によれば、ライン摺動部の本体部の一方の平面部（正面部）側に第一ライン摺動縁部が形成され、他方の平面部（背面部）側に第二ライン摺動縁部が形成されているので、摺動するテニスコート用ラインの幅、或いは第一ライン摺動縁部、或いは第二ライン摺動縁部の消耗具合に応じていずれを用いるか任意に選択することができテニスコート用ライン清掃具の使用のし易さを確保することが可能になる。
【００１５】
さらに、請求項５に記載の発明は、請求項３又は４に記載の構成に加え、前記第一ライン摺動縁部の長さと前記第二ライン摺動縁部の長さとが異なることを特徴とする。
【００１６】
従って、請求項５に記載の発明によれば、第一ライン摺動縁部と第二ライン摺動縁部との長さが異なっているため、幅の異なるテニスコート用ラインの清掃を行う場合に、テニスコート用ラインの幅に合わせてライン摺動部を交換する必要がなく、一つのライン摺動部を反転させることで異なる幅のテニスコート用ライン上を摺動させ、異なる幅のテニスコート用ラインの清掃を行うことが可能になる。
【００１７】
また、請求項６に記載の発明は、請求項３乃至５のいずれかに記載の構成に加え、前記第一ライン摺動縁部の長さと前記第二ライン摺動縁部の長さの短い方である前記第一ライン摺動縁部の長さは、他方の前記平面部側に、前記第一ライン摺動縁部の長さを示す二本のラインである目印表示として前記底面部と前記端面部との間に前記底面部から前記端面部にわたって形成されていることを特徴とする。
【００１８】
従って、請求項６に記載の発明によれば、第一ライン摺動縁部の長さと第二ライン摺動縁部の長さとのいずれか短い方である、第一ライン摺動縁部の長さを、他方の平面部（背面部）側に、第一ライン摺動縁部の長さに対応する幅である二本のラインを投影することで（図９（ａ）の点線（投影線）９５１ａで示すように）目印表示を設けることにより、第一ライン摺動縁部の長さを視認することになり、第一ライン摺動縁部（の幅）を確認することができ、テニスコート用ラインの清掃に際して、ライン摺動部の他方の平面部（背面部）側の目印表示をテニスコート用ラインに合わせることで、テニスコート用ライン上をずれることなく、ライン摺動部をテニスコート用ライン上で摺動させることが可能になる。
【００１９】
さらに、請求項７に記載の発明は、請求項３乃至５のいずれかに記載の構成に加え、前記第一ライン摺動縁部の長さと前記第二ライン摺動縁部の長さの短い方である前記第二ライン摺動縁部の長さは、一方の前記平面部側に、前記第二ライン摺動縁部の長さを示す二本のラインである目印表示として前記底面部と前記端面部との間に前記底面部から前記端面部にわたって形成されていることを特徴とする。
【００２０】
従って、請求項７に記載の発明によれば、第一ライン摺動縁部の長さと第二ライン摺動縁部の長さとのいずれか短い方である、第二ライン摺動縁部の長さを、一方の平面部（正面部）側に、第二ライン摺動縁部の長さに対応する幅である二本のラインを投影することで目印表示を設けることにより、第二ライン摺動縁部の長さを視認することになり、第二ライン摺動縁部（の幅）を確認することができ、テニスコート用ラインの清掃に際して、ライン摺動部の一方の平面部（正面部）側の目印表示をテニスコート用ラインに合わせることで、テニスコート用ライン上をずれることなく、ライン摺動部をテニスコート用ライン上で摺動させることが可能になる。
【００２１】
また、請求項８に記載の発明は、請求項３乃至７のいずれかに記載の構成に加え、前記円弧の半径は１．０ｍｍから２．０ｍｍの範囲内であることを特徴とする。
【００２２】
従って、請求項８に記載の発明によれば、ライン摺動縁部の円弧の半径は１．０ｍｍから２．０ｍｍの範囲内であるため、ライン摺動部がテニスコート用ライン上を摺動しても、テニスコート用ラインを固定しているピン等と干渉することなく、容易にピン等を乗り上げて通過してテニスコート用ライン上を摺動することが可能になる。
【００２３】
さらに、請求項９に記載の発明は、請求項１に記載の構成に加え、前記本体部の前記側面部は、対向する前記平面部のそれぞれの側方から突出して折れ曲がり、第一側面部と第二側面部とを備え、前記第一側面部が一方の前記平面部と連続し、前記第二側面部が他方の前記平面部と連続し、前記第一側面部が一方の前記平面部に対して鋭角で立ち上がり、前記第二側面部が他方の前記平面部に対して鋭角で立ち上がっていることを特徴とする。
【００２４】
従って、請求項９に記載の発明によれば、本体部の側面部が、一方の平面部（正面部）及び他方の平面部（背面部）の側方に突出して折れ曲がり、第一側面部と第二側面部とを形成し、第一側面部が一方の平面部（正面部）に続き、第二側面部が他方の平面部（背面部）に続き、第一側面部が一方の平面部（正面部）に対して鋭角（角度γ）で立ち上がり、第二側面部が他方の平面部（背面部）に対して鋭角（角度β）で立ち上がり、テニスコート用ライン上をライン摺動部の第一ライン摺動縁部（或いは第二ライン摺動縁部）が摺動すると、テニスコート用ラインに対して鋭角（角度β、或いは角度γ）で傾斜した土壁が形成され、テニスコート用ラインからテニスコート用ライン近傍の土（地面）まで緩やかになり、テニスコート用ラインに付着した埃・泥等は、テニスコート用ラインから緩やかに傾斜したテニスコート用ライン近傍の土（地面）上に載ることが可能になる。
【００２５】
また、請求項１０に記載の発明は、請求項９に記載の構成に加え、前記本体部の一方の前記平面部側には、前記第二ライン摺動縁部の長さを示す二本のラインである目印表示が前記底面部と前記端面部との間に前記底面部から前記端面部にわたって形成されており、前記本体部の他方の前記平面部側には、前記第一ライン摺動縁部の長さを示す二本のラインである目印表示が前記底面部と前記端面部との間に前記底面部から前記端面部にわたって形成されていることを特徴とする。
【００２６】
従って、請求項１０に記載の発明によれば、底面部と一方の平面部（正面部）との間に形成されている第一ライン摺動縁部の長さと、底面部と他方の平面部（背面部）との間に形成されている第二ライン摺動縁部の長さとが異なっていることを明確にするために、一方の平面部（正面部）側、及び他方の平面部（背面部）側に目印表示が設けられており、第二ライン摺動縁部の幅に対応する幅を、一方の平面部（正面部）側へ投影することで（図１１（ａ）の点線で示すように）目印表示を設けることになり、また、第一ライン摺動縁部の幅に対応する幅を、他方の平面部（背面部）側へ投影することで（図１１（ｂ）の点線で示すように）目印表示を設けることになり、ライン摺動部の一方の平面部（正面部）側を視認することにより、第二ライン摺動縁部（の幅）を確認することができ、ライン摺動部の他方の平面部（背面部）側を視認することにより、第一ライン摺動縁部（の幅）を確認することができ、テニスコート用ラインの清掃に際して、ライン摺動部の一方の平面部（正面部）側の目印表示、或いはライン摺動部の他方の平面部（背面部）側の目印表示をテニスコート用ラインに合わせることで、テニスコート用ライン上をずれることなく、ライン摺動部をテニスコート用ライン上で摺動させることが可能になる。
【００２７】
さらに、請求項１１に記載の発明は、請求項１０に記載の構成に加え、前記本体部の、一方の前記平面部側及び他方の前記平面部で、前記底面部と前記端面部との間に形成される前記目印表示は、前記本体部の、一方の前記平面部側及び他方の前記平面部側に貼付された、直線状の、前記本体部の色彩とは異なる色彩のテープであることを特徴とする。
【００２８】
従って、請求項１１に記載の発明によれば、一方の平面部（正面部）側に設けた第二ライン摺動縁部の幅を示す目印表示のテープ及び他方の平面部（背面部）側に設けた第一ライン摺動縁部の幅を示す目印表示のテープは、本体部の色彩と異なっているため、本体部の、一方の平面部（正面部）側及び他方の平面部（背面部）側を見ることにより容易に第二ライン摺動縁部の幅及び第一ライン摺動縁部の幅を確認することが可能になる。
【００２９】
また、請求項１２に記載の発明は、請求項１に記載の構成に加え、前記ライン摺動部は、前記棒状部材の前記他方の端部に着脱可能に取り付けられていることを特徴とする。
【００３０】
従って、請求項１２に記載の発明によれば、ライン摺動部はテニスコート用ラインを摺動すると摩耗により変形し、特に、ライン摺動縁部はピン等と接触することになるため、摩耗による変形を避けることができないため、このライン摺動部は取替可能なように棒状部材の他方の端部において着脱可能になっている。
【００３１】
さらに、請求項１３に記載の発明は、請求項１に記載の構成に加え、テニスコート面に前記ライン摺動部の前記底面部を当接することで、前記ライン摺動部の前記底面部を基準に、テニスコートの規定のネットの高さと同じ長さの位置に、ネット高さ指示部を前記棒状部材に設けたことを特徴とする。
【００３２】
従って、請求項１３に記載の発明によれば、ライン摺動部の底面部を基準に、テニスコートのネットの、規定のネットの高さと同じ長さの位置に、ネット高さ指示部である目印が棒状部材に設けてあるので、ネット高さ指示部にネットのネット端部を一致させることにより、容易にテニスコートのネットの高さを設定することが可能である。また、軸部は本体部の端面部に垂直に組み込まれ、さらに軸部は棒状部材に連結され、端面部に対向する、底面部が端面部と平行に形成されているため、軸部に連結された棒状部材は地面に対して垂直に起立することが可能になるとともに、ライン摺動部の底面部は、滑らかな面の形状をなしているので、棒状部材がふらつくことなく安定してネットの高さを実現することが可能である。
【００３３】
また、請求項１４に記載の発明は、請求項１３に記載の構成に加え、前記ネット高さ指示部は、前記棒状部材の長手方向を横断する方向に前記棒状部材に貼付されたリング状の、前記棒状部材の色彩とは異なる色彩のテープであることを特徴とする。
【００３４】
従って、請求項１４に記載の発明によれば、ネット高さ指示部のテープは、棒状部材の長手方向を横断する方向に前記棒状部材に貼付されたリング状であり、棒状部材の色彩とは異なる色彩であるため、棒状部材をいずれの方向から見てもネット高さ指示部を確認することが可能になる。
【発明の効果】
【００３５】
本発明によれば、ライン摺動部に押圧を加えながらテニスコート用ライン上を摺動させることができるため、テニスコート用ラインに付着した埃・泥等をテニスコート用ラインの付着から断ち、埃・泥等を単にテニスコート用ラインに単に載っている状態にし、ほうき部の毛束部で、その埃・泥等を掃くことでテニスコート用ラインから埃・泥を除去しテニスコート用ラインの清掃を行うことができる。特に、本発明であるテニスコート用ライン清掃具は棒状部材を介して一方の端部にほうき部を設け、他方の端部にライン摺動部を設けてほうき部とライン摺動部とを一体にしてあるため、ほうき部とライン摺動部が別体である場合に比べ、テニスコート用ラインの清掃を効率よく行うことができる。
【００３６】
また、ライン摺動部の本体部の側面部が屈曲して、第一側面部と第二側面部とを形成することで、第一側面部（或いは第二側面部）は正面部（或いは背面部）に対して鋭角（角度β、或いは角度γ）で立ち上がり、テニスコート用ライン上をライン摺動部のライン摺動縁部が摺動すると、テニスコート用ラインに対して鋭角（角度β、或いは角度γ）で傾斜した土壁が形成され、テニスコート用ラインに対して垂直の土壁が形成された場合に比べ、テニスコート用ラインの両脇の土壁にテニスボールが落下して（当たって）跳ね返る際に予測がつかない方向へテニスボールが飛び出し難くすることができる。また、傾斜した土壁を形成することで、テニスコート用ラインに対して垂直の土壁が形成された場合に比べ、テニスコート用ラインからテニスコート用ライン近傍の土（地面）まで緩やかになるためテニスコートでテニスを行う人がテニスコート用ライン近傍を踏んでも足を取られて姿勢を崩すことなくテニスのゲームに支障を来し難くすることができる。
【００３７】
さらに、第二ライン摺動縁部の幅に対応する幅を、正面部側へ投影することで目印表示を設け、第一ライン摺動縁部の幅に対応する幅を、背面部側へ投影することで目印表示を設け、ライン摺動部の正面部側を視認することにより、第二ライン摺動縁部（の幅）を確認することができ、ライン摺動部の背面部側を視認することにより、第一ライン摺動縁部（の幅）を確認することができ、テニスコート用ラインの清掃に際して、ライン摺動部の正面部側の目印表示、或いはライン摺動部の背面部側の目印表示をテニスコート用ラインの幅に合わせてライン摺動部をテニスコート用ライン上を摺動させることで、ライン摺動部がテニスコート用ラインを外れることなくテニスコート用ライン上を摺動することが可能になる。
【００３８】
また、棒状部材には、ネット高さ指示部が設けてあり、ライン摺動部の端部（底面部）からネット高さ指示部までは、規定のネット高さと同一の長さとなっており、ネット高さ指示部とネットのネット端部とを一致させることでネットの高さの設定を完了させることができ、物差し等の寸法を測るものを用いずに容易にネットの高さの設定を行うことができる。
【発明を実施するための最良の形態】
【００３９】
以下、本発明を実施するための最良の形態について図面を参照して説明する。
【００４０】
本発明であるテニスコート用ライン清掃具１は、図１に示すように、一方の端部側にはほうき部２が形成されており、他方の端部側には、ライン摺動部３が形成されている。本例でのテニスコート用ライン清掃具１の全体の長さは１３０ｃｍであるが、特にこの長さに限定されるものではなく、１３０ｃｍより長くても、短くてもよい。また、テニスコート用ライン清掃具１では、ほうき部２とライン摺動部３との間には棒状部材５が設けられ、ほうき部２とライン摺動部３とを連結している。また、棒状部材５のほうき部２よりには、ネット高さ指示部７が設けられている。
【００４１】
ネット高さ指示部７は、図１に示すように、棒状部材５に三箇所設けられている。ネット高さ指示部７１は、硬式テニスのネットの高さの基準となっている。ライン摺動部３の底面部３６からこのネット高さ指示部７１までは、硬式テニスのネットの高さに対応する０．９１４ｍとなっている。そして、実際にテニスコートでネットの高さをセットする際には、テニスコート用ライン１０の内のセンターサービスライン上にテニスコート用ライン清掃具１のライン摺動部３の底面部３６を載せてネットをネット高さ指示部７１に合わせることにより行うことになる。
【００４２】
また、ネット高さ指示部７２、７３はソフトテニスのネットの高さの基準となっている。ライン摺動部３の底面部３６からネット高さ指示部７２までは、１．０６ｍとなっており、ライン摺動部３の底面部３６からネット高さ指示部７３までは、１．０７ｍとなっている。ソフトテニスの場合のネットの高さの基準は、テニスコート用ライン１０の内のサイドラインからの高さが１．０７ｍとなっている。ただし、ソフトテニスの場合には、１．０７ｍに満たない場合であっても、ネットの高さがサイドラインから１．０６ｍから１．０７ｍの範囲内であればよいということになっている。
【００４３】
そのため、テニスコート用ライン清掃具１の棒状部材５にソフトテニスのためのネット指示部７２、７３が設けられている。このネット高さ指示部７２、７３は、図１に示すように、棒状部材５の長手方向を横断する方向に棒状部材５の色彩とは異なる色彩の直線状のテープを貼付することで形成されている。ただし、このように、ネット高さ指示部７１、７２、７３は、直線状のテープを用いることに限定されず、棒状部材５の色彩とは異なる色彩の塗料で直線状の形状として形成することも可能である。
【００４４】
テニスコート用ライン清掃具１の一方の端部側のほうき部２は、図２に示すように、棒状部材５の連結部５１にほうき部２のスカート部２１の先端部２１ａが連結されている。スカート部２１は、図２（ａ）に示すように、幅広の略三角形の形状をなしており、スカート部２１の底部２１ｂ側には図示しない溝部（隙間部）が設けられており、その図示しない溝部（隙間部）に毛束部２２が組み込まれている。そして、ほうき部２の毛束部２２の幅方向の長さがテニスコート用ライン１０の幅方向の長さに対応している。具体的には、図２（ｂ）に示すように、ほうき部２の毛束部２２の幅方向の長さＷとテニスコート用ライン１０の幅方向の長さＷ１とがほぼ等しい長さになっている。そのため、ほうき部２の毛束部２２を側方方向よりテニスコート用ライン１０に沿って載せることが可能になり、ほうき部２の毛束部２２でテニスコート用ライン１０上を掃くことが可能になる。
【００４５】
また、ほうき部２には、図３に示すように、毛束部２２にリング状部材４が設けられている。リング状部材４は、図３に示すように、帯状の弾力性のある環状部材であり、毛束部２２の毛束が伸びている方向に沿って移動することが可能である。ほうき部２にリング状部材４を設けることで掃く機能を持つ毛束部２２の能力を変えることが可能になる。具体的には、図３（ａ）に示すように、リング状部材４を毛束部２２のスカート部２１に近い位置（毛束部２２の根元２２ａに近い位置）に設けると、リング状部材４から毛束部２２の先端部２２ｂまでの長さが長いため、毛束部２２の先端部２２ｂが掃く対象であるテニスコート用ライン１０と接触すると毛束部２２は曲がり、毛束部２２で掃く対象であるテニスコート用ライン１０を掃くと、弱い押圧を掃く対象であるテニスコート用ライン１０に加えつつ掃くことになる。
【００４６】
また、図３（ｂ）に示すように、リング状部材４を毛束部２２の先端部２２ｂに近い位置に設けると、リング状部材４から毛束部２２の先端部２２ｂまでの長さが短いため、毛束部２２の先端部２２ｂが掃く対象であるテニスコート用ライン１０と接触すると毛束部２２は曲がり難く、毛束部２２で掃く対象であるテニスコート用ライン１０を掃くと、強い押圧を掃く対象であるテニスコート用ライン１０に加えつつ掃くことになる。本例では、リング状部材４を毛束部２２上で移動させる（毛束部２２の、先端部２２ｂから根元２２ａ（棒状部材５側）まで移動させる）構成を採っているが、このような構成に限定されることはない。例えば、リング状部材４としてテープを用いることも可能であり、テープを用いる場合には、毛束部２２を巻回してリング状部材４とすることになる。毛束部４を移動させるに際しては、巻回してあったテープを外して、再度テープを毛束部２２の別の位置に巻回することでリング状部材４とすることになる。
【００４７】
また、テニスコート用ライン清掃具１の他方の端部側のライン摺動部３は、図４に示すように、略Ｔ字状の形状をなしており、そのライン摺動部３は棒状部材５に連結されている。ライン摺動部３は、本体部３２と軸部３１とから構成されている。図４に示すように、本体部３２より軸３１が伸びて形成されている。軸部３１は、断面矩形形状に形成されており、本体部３２と一体成形されている。ライン摺動部３は木製、或いは樹脂製の場合には、図４に示すように本体部３２と軸部３１を一体成形することも可能である。また、本体部３２と軸部３１との連結は、本体部３２に図示しない穴部を設け、その穴部内に接着剤を塗布して軸部３１を組み込み、本体部３２に軸部３１を固定するということも可能である。
【００４８】
ライン摺動部３の基本的な形態としては、ライン摺動部３の本体部３２の端面部３３に対して垂直に軸部３１が組み込まれるか、取り付けられ、その端面部３３に組み込まれるか、取り付けられた軸部３１に連結された棒状部材５が地面に対して垂直に起立するように、端面部３３に対向して、端面部３３と平行に底面部３６は形成されている。そして、底面部３６と端面部３３との間にわたって、底面部３６及び端面部３３を横断する方向に互いに対向して平面部３７、３９が形成されている。この平面部３７、３９同士の間に挟み込まれ、底面部３６及び端面部３３の側方に側面部３５、３５が形成されている。さらに、本体部３２の、一方の平面部３７から他方の平面部３９を貫通した孔部３０が形成されている。
【００４９】
さらに、図４に示すライン摺動部３の本体部３２には突出部３４が形成されており、図４に示すように、その突出部３４は一方の平面部である正面部３７及び他方の平面部である背面部３９と軸部３１との間に形成されている。突出部３４は、正面部３７及び背面部３９が伸びて形成された延長部であり、突出部３４では、側面部３５、３５に対して角度αで傾斜して軸部３１に向かって伸びる傾斜面３４ａ、３４ａが形成されている。そして、突出部３４の傾斜面３４ａ、３４ａが伸びて形成した端面部３３から軸部３１が伸びている。ただし、このように突出部３４を設ける必要は必ずしもなく、単に、立方体の形状の本体部３２と軸部３１と直接連結するという構成も可能である。
【００５０】
また、側面部３５、３５同士の間には、図４に示すように、正面部３７及び背面部３９が形成されており、正面部３７と背面部３９とは互いに平行となるように形成されている。ただし、正面部３７と背面部３９とは平行となる位置に形成されることに限定されない。例えば、正面部３７と背面部３９が底面部３６に向かい傾斜するような形状であってもよい。底面部３６は、本体部３２の、軸部３１と連結した側とは反対側にあり、滑らかな面で形成されている。また、ライン摺動部３の正面部３７及び背面部３９の中央部には、孔部３０が形成されており、ライン摺動部３の、正面部３７から背面部３９を貫通している。
【００５１】
ライン摺動部３の本体部３２の底面部３６側である先端側の辺部３８では、本体部３２の底面部３６と正面部３７とを円弧で連続して連結するライン摺動縁部（円弧部）３８である第一ライン摺動縁部３８ａが形成され、本体部３２の底面部３６と背面部３９とを円弧で連続して連結するライン摺動縁部（円弧部）３８である第二ライン摺動縁部３８ｂが形成されている。本例においては、テニスコート用ライン清掃具１の使用のし易さを考慮して、本体部３２の長手方向に沿って（正面部３７及び背面部３９の長手方向に沿って）二箇所円弧部３８である第一ライン摺動縁部３８ａ及び第二ライン摺動縁部３８ｂを設けているが、円弧部３８を一箇所、つまり、第一ライン摺動縁部３８ａ、或いは第二ライン摺動縁部３８ｂのいずれかとすることも可能である。円弧部３８を一箇所とした場合には、テニスコート用ライン１０を摺動するのはライン摺動部３の底面部３６の円弧部３８を設けた一方側ということになる。
【００５２】
また、テニスコート用ライン１０上を摺動する、ライン摺動部３の、底面部３６と正面部３７及び背面部３９との間の円弧部３８の長さはテニスコート用ライン１０の幅と一致しており、具体的には、テニスコート用ライン１０の幅である５ｃｍから６ｃｍとしている。ただし、テニスコート用ライン１０の内には、ベースラインも含まれており、ベースラインの幅は一般に、５ｃｍから１０ｃｍであるため、本体部３２を大きくして、ライン摺動部３の、底面部３６と正面部３７及び背面部３９との間の円弧部３８の長さをベースラインの幅と一致させて５ｃｍから１０ｃｍとすることも可能である。
【００５３】
本例でのライン摺動部３は、本体部３２から軸部３１に沿う全体の長さが１５ｃｍであり、ライン摺動部３の本体部３２の長手方向に沿う長さは６ｃｍであり、ライン摺動部３の厚さは２ｃｍであるが、この大きさに限定されることなく、本例のライン摺動部３より大きくすることも小さくすることも可能である。また、底面部３６と正面部３７との間に形成された円弧部３８、及び底面部３６と背面部３９との間に設けられた円弧部３８の半径（Ｒ）は１．５ｍｍとしているが、同様に、この円弧部３８の半径（Ｒ）である１．５ｍｍに限定されることなく、円弧部３８の半径（Ｒ）を１．５ｍｍより大きくすることも可能であるし、小さくすることも可能である。具体的には、円弧部３８の円弧の半径は１．０ｍｍから２．０ｍｍの範囲内であればよい。
【００５４】
また、ライン摺動部３の別の形態としては、図５に示してある。基本的には、図４に示すライン摺動部３と同一の構成をなしている。ただし、図４に示す軸部３１と図５に示す軸部６１１の形状が異なっており、図４に示す突出部３４と図５に示す突出部６４の形状が異なっている。具体的には、図４に示す軸部３１は断面矩形形状をなしているが、図５に示す軸部６１１は断面円形形状をなしているということであり、図４に示す突出部３４では側面部３５、３５から傾斜面３４ａ、３４ａが伸びているに対し、図５に示す突出部６４では側面部６５、６５、一方の平面部である正面部６７及び他方の平面部である背面部６９から傾斜面６４が伸びているということである。
【００５５】
さらに、本体部６２と軸部６１１との連結は、本体部６２に図示しない穴部を設け、その穴部内に接着剤を塗布して軸部６１１を組み込み、本体部６２に軸部６１１を固定している。ただし、このような構成に限定されることなく、例えば、ライン摺動部６は木製、或いは樹脂製の場合には本体部６２と軸部６１１を一体成形することも可能である。ライン摺動縁部６８（第一ライン摺動縁部６８ａ、第二ライン摺動縁部６８ｂ）については、図４に示すライン摺動縁部３８（第一ライン摺動縁部３８ａ、第二ライン摺動縁部３８ｂ）と同様に形成されている。また、ライン摺動部３と同様に、ライン摺動部６の正面部６７及び背面部６９の中央部には、孔部６０が形成されており、ライン摺動部６の、正面部６７から背面部６９を貫通している。
【００５６】
本例では、図５に示すライン摺動部６を用いて棒状部材５への組み込みを説明する。
【００５７】
ライン摺動部６の棒状部材５への組み込みに際しては、図６に示すように、ライン摺動部６の軸部６１１へ、円筒形状の中間部材１２を通し、中間部材１２の端部１２１をライン摺動部６の端面部６３１に当接して位置決めしてある。このように中間部材１２へライン摺動部６の軸部６１１を通した状態で、図６に示すように、中間部材１２に設けられている、対向する孔部１２２、１２２へボルト１３、１３を通し、ライン摺動部６の軸部６１１の、図示しないボルト孔へ螺合させてある。以上のようにして、ライン摺動部６と中間部材１２とが連結されている。
【００５８】
また、図４に示すライン摺動部３に関しては、例えば、図６に示すような円筒形状の中間部材１２に組み込むに際しては、中間部材１２の中空部の形状をライン摺動部３の軸部３１を収納できる形状にする。具体的には、中間部材１２の中空部を、図４に示すライン摺動部３の軸部３１の断面矩形形状を収納できる大きさの断面矩形形状にし、中間部材１２の中空部にライン摺動部３の軸部３１を収納して（組み込んで）接着剤等で固定するか、或いは、本例と同様に、ライン摺動部３の軸部３１にもボルト孔を設けておき、中間部材１２の孔部１２２、１２２よりボルト１３、１３を通して、軸部３１のボルト孔と螺合させて、ライン摺動部３と中間部材１２とを連結するということも可能である。
【００５９】
そして、ライン摺動部６が連結された中間部材１２は棒状部材５と連結されることになる。中間部材１２と棒状部材５とを連結するために、図６に示すように、棒状部材５の中空部５２に中間部材１２を組み込んでいる。本例では、棒状部材５の中空部５２内の内壁に図示しない雌ねじ部が形成されており、また、中間部材１２の、棒状部材５の中空部５２に組み込まれる部分には、図示しない雄ねじ部が形成されており、中間部材１２が棒状部材５の中空部に組み込まれる際に、中間部材１２の雄ねじ部と棒状部材５の雌ねじ部が螺合することで、中間部材１２と棒状部材５の連結が行われている。つまり、ライン摺動部６は、棒状部材５に着脱可能に取り付けられていることになる。以上のようにして、本発明であるテニスコート用ライン清掃具１が組み立てられている。
【００６０】
図４に示すライン摺動部３に関しても、図６に示すように、棒状部材５と連結するためには、図５に示すライン摺動部６と同様に、図４に示すライン摺動部３が連結された中間部材１２に雄ねじ部を形成し、棒状部材５の中空部５２内の内壁に雌ねじ部を形成し、中間部材１２の雄ねじ部と棒状部材５の雌ねじ部を螺合させて、中間部材１２と棒状部材５との連結を行うことが可能である。この場合も、ライン摺動部３は、棒状部材５に着脱可能に取り付けられていることになる。
【００６１】
また、中間部材１２を用いることに限定されず、中間部材１２を用いずにライン摺動部３と棒状部材５とを連結することも可能である。具体的には、図７に示すように、ライン摺動部６の軸部６１１へ棒状部材５の中空部５２を通し、棒状部材５の端部５３をライン摺動部６の端面部６３１に当接して位置決めする。このように棒状部材５の中空部５２へライン摺動部６の軸部６１１を通した状態で、図７に示すように、棒状部材５に設けられている、対向する孔部５４、５４へボルト１３、１３を通し、ライン摺動部６の軸部６１１の、図示しないボルト孔へ螺合する。以上のようにして、ライン摺動部６と棒状部材５とが連結されることになる。この場合も、ボルト１３、１３の着脱により、ライン摺動部６は、棒状部材５に着脱可能に取り付けられていることになる。
【００６２】
このような、図７に示す、ライン摺動部６と棒状部材５との連結では、ライン摺動部６の交換に際して、単に、ボルト１３、１３を外すだけでライン摺動部６を棒状部材５から外すことができ、容易にライン摺動部６の交換を行うことが可能になる。また、ライン摺動部６と棒状部材５との連結に際しては、ライン摺動部６の端面部６３１と棒状部材５の端面部５３とを当接させることでライン摺動部６と棒状部材５との位置決めを行っているため、交換前のライン摺動部６と同じ状態で新たなライン摺動部６を取り付けることが可能になる。
【００６３】
図４及び図５に示すライン摺動部３、６の円弧部３８、６８同士の長さが等しいため、一つのテニスコート用ライン１０の幅にしか対応しない。そのため、図４及び図５に示すライン摺動部３、６の場合には、テニスコート用ライン１０の幅に合わせて、テニスコート用ライン１０の幅に合うライン摺動部３、６を交換しなければならない。つまり、テニスコート用ライン１０を摺動するライン摺動部３、６のライン摺動縁部３８、６８の長さはテニスコート用ライン１０の幅と一致していることが望ましい。そのため、図８に示すライン摺動部９を用いることも可能である。
【００６４】
ライン摺動部９は、図８に示すように、図４及び図５に示すライン摺動部３、６と同様に、略Ｔ字状の形状をなしており、棒状部材５に連結されることになる。ライン摺動部９は、図８に示すように、本体部９２と軸部９１とから構成されている。ライン摺動部９は、図８に示すように、本体部９２の端面部９３より軸部９１が伸びて形成されている。軸部９１は、円柱状に伸びて形成されている。本体部９２と軸部９１との連結は、本体部９２の端面部９３に図示しない穴部を設け、その穴部内に接着剤を塗布して軸部９１を組み込み、本体部９２に軸部９１を固定している。ただし、このような構成に限定されることなく、例えば、ライン摺動部９は木製、或いは樹脂製の場合には本体部９２と軸部９１を一体成形することも可能である。
【００６５】
本体部９２の端面部９３から傾斜面９４、９４が形成され側面部９５、９５まで伸びている。側面部９５、９５同士の間には、一方の平面部である正面部９７及び他方の平面部である背面部９９が形成されている。そして、ライン摺動部３及びライン摺動部６と同様に、ライン摺動部９の正面部９７及び背面部９９の中央部には、孔部９０が形成されており、ライン摺動部９の、正面部９７から背面部９９を貫通している。また、図８（ａ）に示すように、正面部９７の長手方向の長さより背面部９９の長手方向の長さの方が長い。つまり、正面部９７の長手方向の長さはテニスコート用ラインの狭い幅（６ｃｍ）に対応しており、背面部９９の長手方向の長さはテニスコート用ラインの広い幅（１０ｃｍ）に対応している。そして、本体部９２の、軸部９１と連結した側とは反対側には、底面部９６が形成されている。この底面部９６は、図８（ａ）に示すように、台形形状をなしている。
【００６６】
そして、本体部９２の長手方向に沿う、底面部９６と正面部９７とが交わる位置では、図４に示すような円弧部９８ａが形成され、底面部９６と背面部９９とが交わる位置では、図４に示すような円弧部９８ｂが形成されている。この円弧部９８（９８ａ、９８ｂ）により底面部９６と正面部９７、背面部９９とが連続している。また、テニスコート用ライン１０を摺動する、底面部９６と正面部９７との間の円弧部９８ａの長さはテニスコート用ライン１０の狭い幅に対応（一致）しており、具体的には、テニスコート用ライン１０の幅である６ｃｍになっている。
【００６７】
また、テニスコート用ライン１０を摺動する、底面部９６と背面部９９との間の円弧部９８ｂの長さはテニスコート用ライン１０の広い幅に対応（一致）しており、具体的には、テニスコート用ライン１０の内の、ベースラインの幅である１０ｃｍになっている。ライン摺動部９は、図４及び図５に示すライン摺動部３、６と同様に、本体部９２から軸部９１に沿う全体の長さが１５ｃｍであり、ライン摺動部９の本体部９２の正面部９７の長手方向に沿う長さは６ｃｍであり、ライン摺動部９の本体部９２の背面部９９の長手方向に沿う長さは１０ｃｍであり、
ライン摺動部９の厚さは２ｃｍであるが、この大きさに限定されることなく、この大きさより大きくすることも小さくすることも可能である。
【００６８】
また、底面部９６と正面部９７、背面部９９との間に設けられた円弧部９８の半径（Ｒ）は、図４及び図５に示すライン摺動部３、６と同様に、１．５ｍｍとしているが、同様に、この円弧部９８の半径（Ｒ）である１．５ｍｍに限定されることなく、円弧部９８の半径（Ｒ）を１．５ｍｍより大きくすることも可能であるし、小さくすることも可能である。なお、ライン摺動部９では、図８（ａ）に示すように、底面部９６と正面部９７との間に形成されている円弧部９８ａと、底面部９６と背面部９９との間に形成されている円弧部９８ｂの長さが異なっており、その長さが異なる。
【００６９】
また、ライン摺動部９の、底面部９６と正面部９７との間に形成されている円弧部９８ａの長さと、底面部９６と背面部９９との間に形成されている円弧部９８ｂの長さとが異なることを明確にし、背面部９９からでも円弧部９８ａの長さが確認できるようにするための構成が図９に示されている。図９（ａ）では、円弧部９８ａの幅に対応する幅が、背面部９９上に設けられている。具体的には、円弧部９８ａの端部の位置を垂直方向である背面部９９上へ投影することで（図９（ａ）に示す点線９５１ａ、９５１ａで示すように）背面部９９側に目印表示９５１、９５１を設けることになる。目印表示９５１、９５１は、図９（ａ）に示すように、底面部９６から端面部９３（より具体的には、底面部９６から傾斜面９４、９４）に向かって貼付された直線状のテープで形成されている。
【００７０】
また、目印表示９５１、９５１はテープに限定されることなく、この目印表示９５１、９５１は、目立つ色彩、本体部９２の色彩とは異なる、例えば、赤色を塗布して形成することも可能であるし、さらに目立たせるために、図９に示すように、目印表示９５１、９５１上に大きい目印表示（例えば、画鋲、シール等）９５２、９５２を取り付けることも可能である。また、目印表示９５１、９５１を切り欠き（溝部）にし、底面部９６から端面部９３（より具体的には、底面部９６から傾斜面９４、９４）に向かって形成することも可能である。
【００７１】
このように、ライン摺動部９の背面部９９に円弧部９８ａに対応する目印表示９５１、９５１を設けることにより、ライン摺動部９の背面部９９側を視認するだけで、円弧部９８ａ、９８ｂの長さを容易に確認することができ、清掃すべきテニスコート用ラインに対応するライン摺動部９を備えたテニスコート用ライン清掃具１を選択することが可能になる。また、テニスコート用ラインの清掃に際しても、テニスコート用ラインの幅と目印表示９５１、９５１の間隔が同じであるため、図９（ｂ）に示すように、ライン摺動部９の背面部９９を上側にして、清掃するときには、テニスコート用ラインと目印表示９５１、９５１を一致させて行えばテニスコート用ライン上をずれることなく、ライン摺動部９をテニスコート用ライン上で摺動させることが可能になる。
【００７２】
また、ライン摺動部９についても、ライン摺動部９の棒状部材５への連結（組み込み）に際しては、図７に示す場合と同様に、ライン摺動部９の軸部９１へ棒状部材５の中空部５２を通し、棒状部材５の端部５３をライン摺動部９の端面部９３に当接して位置決めする。このように棒状部材５の中空部５２へライン摺動部９の軸部９１を通した状態で、図７に示すように、棒状部材５に設けられている、対向する孔部５４、５４へボルト１３、１３を通し、ライン摺動部９の軸部９１の、図示しないボルト孔へ螺合する。以上のようにして、ライン摺動部９と棒状部材５とが連結されることになる。この場合も、ボルト１３、１３の着脱により、ライン摺動部９は、棒状部材５に着脱可能に取り付けられていることになる。さらに、ライン摺動部９の交換についてもライン摺動部３の場合と同様に行うことが可能である。
【００７３】
図９においては、第一ライン摺動縁部９８ａの長さと第二ライン摺動縁部９８ｂの長さとのいずれか短い方である、第一ライン摺動縁部９８ａの長さを、他方の平面部（背面部９９）側に、第一ライン摺動縁部９８ａの長さに対応する幅である二本のラインを投影することで（図９（ａ）の点線（投影線）９５１ａで示すように）目印表示９５１、９５１を設けることにより、第一ライン摺動縁部９８ａの長さを視認することになり、第一ライン摺動縁部９８ａ（の幅）を確認することができ、テニスコート用ラインの清掃に際して、ライン摺動部９の他方の平面部（背面部９９）側の目印表示をテニスコート用ラインに合わせることで、テニスコート用ライン上をずれることなく、ライン摺動部９をテニスコート用ライン上で摺動させることが可能としている。
【００７４】
ただし、この形態に限定されることなく、図示していないが、第一ライン摺動縁部９８ａの長さより第二ライン摺動縁部９８ｂの長さが短い場合もある。その場合には、第一ライン摺動縁部９８ａの長さと第二ライン摺動縁部９８ｂの長さとの短い方である、第二ライン摺動縁部９８ｂの長さを、一方の平面部（正面部９７）側に、第二ライン摺動縁部９８ｂの長さに対応する幅である二本のラインを投影することで目印表示を設けることにより（図９参照）、第二ライン摺動縁部９８ｂの長さを視認することになり、第二ライン摺動縁部９８ｂ（の幅）を確認することができ、テニスコート用ラインの清掃に際して、ライン摺動部９の一方の平面部（正面部９７）側の目印表示をテニスコート用ラインに合わせることで、テニスコート用ライン上をずれることなく、ライン摺動部９をテニスコート用ライン上で摺動させることが可能になる。
【００７５】
さらに、図１０に示すように、ライン摺動部３に六面体状の部材である第一ライン摺動部３２１を搭載したライン摺動部３ａでも、ライン摺動部９と同様の構成を採ることが可能である。第一ライン摺動部３２１は、図１０（ａ）に示すように、ライン摺動部３の正面部３７に搭載されており、第一ライン摺動部３２１はライン摺動部３の正面部３７に載る大きさになっている。具体的には、図１０（ａ）に示すように、第一ライン摺動部３２１はライン摺動部３の底面部３６から端面部３３の間に収まるとともに、ライン摺動部３の底面部３６より第一ライン摺動部３２１の底面部３２６が小さく、ライン摺動部３の、正面部３７と底面部３６とで形成される辺部３８ｃ内に第一ライン摺動部３２１の底面部３２６が収まることになる。そして、第一ライン摺動部３２１をライン摺動部３の正面部３７に載せると、図１０（ｂ）に示すように、第一ライン摺動部３２１の底面部３２６がライン摺動部３の底面部３６と同一の平面を形成している。
【００７６】
そして、ライン摺動部９の、底面部９６と正面部９７とで形成された円弧部９８（第一ライン摺動部９８ａ）と同じように、第一ライン摺動部３２１の、底面部３２６と正面部３２７とで円弧部３８（第一ライン摺動縁部３８ａ）が形成されている。ライン摺動部９では、底面部９６と正面部９７との間に形成されている円弧部９８ａと、底面部９６と背面部９９との間に形成されている円弧部９８（第二ライン摺動縁部９８ｂ）の長さが異なっており、図１０に示すライン摺動部３ａにおいても、同様に、ライン摺動部３ａの、底面部３２６と正面部３２７との間に形成されている円弧部３８ａと、底面部３６と背面部３９との間に形成されている円弧部３８ｂの長さが異ならせることが可能になっている。以上のようにして、ライン摺動部９と同じように、第一ライン摺動部３８ａの長さと第二ライン摺動縁部３８ｂとの長さとが異なる構成をライン摺動部３ａにおいても実現している。
【００７７】
また、ライン摺動部３ａの変形としてライン摺動部８が、図１１に示されている。ライン摺動部８は、図１１に示すように、ライン摺動部３等と同様に、略Ｔ字状の形状をなしており、棒状部材５に連結されることになる。ライン摺動部８は、図１１に示すように、本体部８２と軸部８１とから構成されており、本体部８２の端面部８３より軸８１が伸びて形成されている。軸部８１は、円柱状に形成されて伸びている。本体部８２と軸部８１との連結は、ライン摺動部６等と同様に、本体部８２の端面部８３に図示しない穴部を設け、その穴部内に接着剤を塗布して軸部８１を組み込み、本体部８２に軸部８１を固定している。ただし、このような構成に限定されることなく、例えば、ライン摺動部８は木製、或いは樹脂製の場合には本体部８２と軸部８１を一体成形することも可能である。
【００７８】
本体部８２は、図１１に示すように、８面体で形成されており、端面部８３と底面部８６とが平行になるように対向し、一方の平面部である正面部８７と他方の平面部である背面部８９とが平行となるように対向している。また、ライン摺動部３等と同様に、ライン摺動部８の正面部８７及び背面部８９の中央部には、孔部８０が形成されており、ライン摺動部８の、正面部８７から背面部８９を貫通している。本体部８２の、対向する正面部８７及び背面部８９の側方に突出し、底面部８６及び端面部８３を挟み込むように設けられた側面部８５、８５が屈曲することで、第一側面部（傾斜面部）８５ａと第二側面部（傾斜面部）８５ｂとを形成しており、第一側面部（傾斜面部）８５ａが正面部８７に続き、第二側面部（傾斜面部）８５ｂが背面部８９に続いている。
【００７９】
この第一側面部８５ａと正面部８７（水平面）とがなす角度は、図１１（ｂ）に示すようにγであり、第二側面部８５ｂと背面部８９（水平面）とがなす角度は、図１１（ａ）に示すようにβである。この角度β、γは、図１１に示すように、鋭角である。そして、背面部８９の両端部より第二側面部８５ｂ、８５ｂが角度βで形成され、正面部８７の両端部より第一側面部８５ａ、８５ａが角度γで形成されている。
【００８０】
また、底面部８６と正面部８７とが交わる位置（辺部８８ａ）と、底面部８６と背面部８９とが交わる位置（辺部８８ｂ）とでは、図１１に示すように、底面部８６と正面部８７とが交わる位置（辺部８８ａ）より底面部８６と背面部８９とが交わる位置（辺部８８ｂ）の方が長い。そして、ライン摺動部８の本体部８２の底面部８６側である先端側の辺部８８では、本体部８２の、底面部８６と正面部８７とを円弧で連続して連結するライン摺動縁部（円弧部）８８ａである第一ライン摺動縁部８８ａが形成され、本体部８２の、底面部８６と背面部８９とを円弧で連続して連結するライン摺動縁部（円弧部）８８ｂである第二ライン摺動縁部８８ｂが形成されている。
【００８１】
そして、ライン摺動部８では、ライン摺動部９と同様に、底面部８６と正面部８７との間に形成されている円弧部８８ａと、底面部８６と背面部８９との間に形成されている円弧部８８ｂの長さが異なっている。テニスコート用ライン１０を摺動する、底面部８６と正面部８７との間の円弧部８８ａの長さはテニスコート用ライン１０の狭い幅に対応（一致）しており、具体的には、テニスコート用ライン１０の幅である６ｃｍになっている。また、テニスコート用ライン１０を摺動する、底面部８６と背面部８９との間の円弧部８８ｂの長さはテニスコート用ライン１０の広い幅に対応（一致）しており、具体的には、テニスコート用ライン１０の内の、ベースラインの幅である１０ｃｍになっている。
【００８２】
以上のようにライン摺動部８は、図４乃至図１０に示すライン摺動部３等と同様に、本体部８２から軸部８１に沿う全体の長さが１５ｃｍであり、ライン摺動部８の本体部８２の長手方向に沿う長さである、第一ライン摺動縁部８８ａは６ｃｍであり、第二ライン摺動縁部８８ｂは１０ｃｍ、ライン摺動部８の厚さは２ｃｍであるが、この大きさに限定されることなく、この大きさより大きくすることも小さくすることも可能である。また、底面部８６と正面部８７、背面部８９との間に設けられた円弧部８８の半径（Ｒ）は、図４乃至図１０に示すライン摺動部８と同様に、１．５ｍｍとしているが、同様に、この円弧部８８の半径（Ｒ）である１．５ｍｍに限定されることなく、円弧部８８の半径（Ｒ）を１．５ｍｍより大きくすることも可能であるし、小さくすることも可能である。
【００８３】
さらに、底面部８６と正面部８７との間に形成されている円弧部８８ａと、底面部８６と背面部８９との間に形成されている円弧部８８ｂの長さが異なっていることを明確にするために、正面部８７側、及び背面部８９側に目印表示８５１、８５２が設けられている。目印表示８５１は、図１１（ａ）に示すように、第二ライン摺動縁部８８ｂの幅に対応する幅で、第一側面部（傾斜面部）８５ａ、８５ａ上に設けられている。具体的には、第二ライン摺動縁部８８ｂの端部の位置を垂直方向である第一側面部（傾斜面部）８５ａ、８５ａ上へ投影することで（図１１（ａ）に示す点線）正面部８７側に目印表示８５１、８５１を設けることになる。
【００８４】
また、目印表示８５２は、図１１（ｂ）に示すように、第一ライン摺動縁部８８ａの幅に対応する幅で、背面部８９上に設けられている。具体的には、第一ライン摺動縁部８８ａの端部の位置を垂直方向である背面部８９上へ投影することで（図１１（ｂ）に示す点線）背面部８９側に目印表示８５２、８５２を設けることになる。目印表示８５１、８５２は、図１１に示すように、底面部８６から端面部８３に向かって直線状のテープで形成されている。
【００８５】
また、目印表示８５１、８５２はテープに限定されることなく、目立つ色彩、本体部８２の色彩とは異なる、例えば、赤色で直線状に塗布することが可能である。さらに、直線の目印表示８５１、８５２を視認し易くするために、目印表示８５１、８５２上に目印表示８５１、８５２より大きい目印表示（例えば、画鋲、シール等）８５３を取り付けることも可能である。また、目印表示８５１、８５２を切り欠き（溝部）にし、底面部８６から端面部８３に向かって形成することも可能である。
【００８６】
以上のような構成をとることにより、ライン摺動部８の正面部８７側を視認することにより、第二ライン摺動縁部８８ｂ（の幅）を確認することができ、ライン摺動部８の背面部８９側を視認することにより、第一ライン摺動縁部８８ａ（の幅）を確認することができ、清掃すべきテニスコート用ラインに対応するライン摺動部８を備えたテニスコート用ライン清掃具１を選択することが可能になる。また、ライン摺動部８の正面部８７側には、目印表示８５１、８５１が底面部８６から端面部８３に向かって直線で形成されており、ライン摺動部８の背面部８９側には、目印表示８５２、８５２が底面部８６から端面部８３に向かって直線で形成されているため、テニスコート用ラインの清掃を容易に行えるようにすることを可能にしている。
【００８７】
つまり、テニスコート用ラインの幅と目印表示８５１、８５１（８５２、８５２）の幅が同じであるため、図１１に示すように、清掃する際には、テニスコート用ラインと目印表示８５１、８５１（８５２、８５２）を一致させる。その結果、ライン摺動部８がテニスコート用ライン上を摺動する際に、ライン摺動部８がテニスコート用ライン上をずれずにテニスコート用ライン上を摺動することが可能になる。その結果、ライン摺動部８がテニスコート用ライン上に付着した埃・泥等の上を通ることができ、テニスコート用ラインと、テニスコート用ラインに付着した埃・泥等を分離することが可能になる。
【００８８】
また、ライン摺動部８についても、ライン摺動部８の棒状部材５への連結（組み込み）に際しては、図７に示す場合と同様に、ライン摺動部８の軸部８１へ棒状部材５の中空部５２を通し、棒状部材５の端部５３をライン摺動部９の端面部８３に当接して位置決めする。このように棒状部材５の中空部５２へライン摺動部８の軸部８１を通した状態で、図７に示すように、棒状部材５に設けられている、対向する孔部５４、５４へボルト１３、１３を通し、ライン摺動部８の軸部８１の、図示しないボルト孔へ螺合する。以上のようにして、ライン摺動部８と棒状部材５とが連結されることになる。この場合も、ボルト１３、１３の着脱により、ライン摺動部８は、棒状部材５に着脱可能に取り付けられていることになる。さらに、ライン摺動部８の交換についてもライン摺動部３の場合と同様に行うことが可能である。
【００８９】
また、ライン摺動部８は、図１２に示すような形態をとることも可能である。図１１に示すライン摺動部８では、側面部８５、８５は第一側面部（傾斜面部）８５ａ、８５ａと第二側面部（傾斜面部）８５ｂ、８５ｂとで形成されているが、図１２に示すライン摺動部８では、側面部８５、８５は第一側面部（傾斜面部）８５ａ、８５ａ及び第二側面部（傾斜面部）８５ｂ、８５ｂの他に端面部８５ｃ、８５ｃで形成されている。端面部８５ｃ、８５ｃは、図１２（ａ）に示すように、第一側面部（傾斜面部）８５ａ、８５ａ及び第二側面部（傾斜面部）８５ｂ、８５ｂを鉛直方向に沿って切断することによって面部として形成されている。
【００９０】
このような端面部８５ｃ、８５ｃを形成することでも、図１２（ｂ）に示すように、第一側面部（傾斜面部）８５ａ、８５ａは水平面（一方の平面部である正面部８７）と角度γを形成し、図１２（ａ）に示すように、第二側面部（傾斜面部）８５ｂ、８５ｂは水平面（他方の平面部である背面部８９）と角度βを形成している。そのため、図１１と同様に、ライン摺動部８の本体部８２の底面部８６側である先端側の辺部８８では、本体部８２の、底面部８６と正面部８７とを円弧で連続して連結するライン摺動縁部（円弧部）８８ａである第一ライン摺動縁部８８ａが形成され、本体部８２の、底面部８６と背面部８９とを円弧で連続して連結するライン摺動縁部（円弧部）８８ｂである第二ライン摺動縁部８８ｂが形成されている。
【００９１】
さらに、ライン摺動部８は、図１３に示すような形態をとることも可能である。図１１に示すライン摺動部８では、正面部８７と背面部８９との間に形成され、正面部８７と背面部８９とに連続する端面部８３より軸部８１が伸びているが、図１３に示すライン摺動部８では、本体部８２に突出部８４が形成されており、その突出部８４は正面部８７及び背面部８９が伸びて形成された延長部であり、突出部８４では、側面部８５、８５に対して傾斜して軸部８１に向かって伸びる傾斜面８４ａ、８４ａが形成されている（図１３（ａ）（ｂ）参照）。そして、突出部８４の傾斜面８４ａ、８４ａが伸びて形成した端面部８３から軸部８１が伸びている。この軸部８１には、ライン摺動部３等と同様に棒状部材５が取り付けられることになる。以上がライン摺動部８の種々の構成例である。
【００９２】
つぎに、本発明であるテニスコート用ライン清掃具１の使用方法について説明する。
【００９３】
埃・泥等が付着したテニスコート用ライン１０に、テニスコート用ライン清掃具１のライン摺動部３を接触させる。そして、図１４に示すように、テニスコート用ライン１０に対してライン摺動部３を傾斜させる。具体的には、ライン摺動部３のライン摺動縁部３８をテニスコート用ライン１０に接触させ、ライン摺動部３に連結した棒状部材５をテニスコート用ライン１０に対して傾斜させる。傾斜させる角度は特に限定されないが、テニスコート用ライン１０に対して３０゜から４５゜程度となる。
【００９４】
ライン摺動部３のライン摺動縁部３８をテニスコート用ライン１０に接触させ、棒状部材５をテニスコート用ライン１０に対して３０゜から４５゜程度、傾斜させた状態でライン摺動部３に押圧を加え、テニスコート用ライン１０上を矢印Ｘ方向へ移動させる。テニスコート用ライン１０上を摺動するライン摺動部３のライン摺動縁部３８は、テニスコート用ライン１０に付着した埃・泥等の上を通過することで、埃・泥等の付着をテニスコート用ライン１０から断つ。
【００９５】
そして、図１５に示すように、矢印Ｘ方向に、ライン摺動部３がテニスコート用ライン１０に沿って移動すると、図１５（ａ）に示すように、ライン摺動部３のライン摺動縁部３８が、テニスコート用ライン１０を固定しているピン１１上に差し掛かる。ライン摺動縁部３８は円弧の形状をなしているため、ピン１１の端部１１ａと当接してもライン摺動部３の矢印Ｘ方向への移動は止まらない。図１５（ｂ）に示すように、ライン摺動部３が矢印Ｘ方向へ移動すると、点線で示すように、ライン摺動部３はライン摺動縁部３８に沿ってピン１１の端部１１ａに乗り上がる。
【００９６】
そして、ライン摺動部３のライン摺動縁部３８がピン１１の面部１１ｂに乗り上がった後は、ライン摺動部３のライン摺動縁部３８はピン１１の面部１１ｂを摺動し、ピン１１の端部１１ｃに到達する。さらに、ライン摺動部３が矢印Ｘ方向へ移動すると、ライン摺動部３のライン摺動縁部３８はピン１１を離れ、テニスコート用ライン１０を移動する。そして、同様に、ライン摺動部３のライン摺動縁部３８は、テニスコート用ライン１０に付着した埃・泥等の上を通過することで、埃・泥等の付着をテニスコート用ライン１０から断ち、ピン１１に接触すれば、同様に、ピン１１を乗り越えて移動する。
【００９７】
以上のようにして、テニスコート用ライン１０上をテニスコート用ライン清掃具１のライン摺動部３のライン摺動縁部３８で摺動した後、テニスコート用ライン清掃具１のほうき部２でテニスコート用ライン１０上の上を掃く。テニスコート用ライン１０上には、テニスコート用ラインとの付着を断たれた埃・泥等が載っており、リング状部材４を毛束部２２に設けたほうき部２でテニスコート用ライン１０上を掃くことでテニスコート用ライン１０上からテニスコート用ライン１０との付着を断たれた埃・泥等を除去できる。
【００９８】
以上では、ライン摺動部３を用いてテニスコート用ライン１０上に付着した埃・泥等の除去について説明したが、ライン摺動部３以外のライン摺動部３ａ、６、８、９を用いてもライン摺動部３と同様にテニスコート用ライン１０上に付着した埃・泥等の除去を行うことが可能である。
【００９９】
また、テニスコート用ライン清掃具１にライン摺動部３を取り付けて、テニスコート用ライン１０上を清掃した場合と、テニスコート用ライン清掃具１にライン摺動部８を取り付けて、テニスコート用ライン１０上を清掃した場合との比較が、図１６に示されている。図１６（ａ）では、テニスコート用ライン１０上にテニスコート用ライン１０に付着した埃・泥等２０ｃが載った状態が示されている。そして、この図１６（ａ）の状態のテニスコート用ライン１０上をテニスコート用ライン清掃具１のライン摺動部３のライン摺動縁部３８が摺動し、ほうき部２でテニスコート用ライン１０上を掃くことで図１６（ｂ）の状態となる。
【０１００】
つまり、テニスコート用ライン１０上をテニスコート用ライン清掃具１のライン摺動部３のライン摺動縁部３８が摺動すると、テニスコート用ライン１０とテニスコート用ライン１０に隣接する土（地面）２０の地表面（テニスコート面）２０ｄとの境目を形成する土壁２０ａが形成される。ライン摺動部３の側面部３５はライン摺動縁部３８に対して垂直であるため、テニスコート用ライン１０上をライン摺動部３のライン摺動縁部３８が摺動すると、図１６（ｂ）に示すように、テニスコート用ライン１０に対して垂直の土壁２０ａが形成される。そして、テニスコート用ライン１０上から取り除かれた、テニスコート用ライン１０に付着した埃・泥等２０ｃは、図１６（ｂ）に示すように、土壁２０ａよりテニスコート用ライン１０を挟み込んでいる、テニスコート用ライン１０近傍の土（地面）２０の地表面（テニスコート面）２０ｄ上に載ることになる。そのため、テニスコート用ライン１０とテニスコート用ライン１０近傍の土（地面）２０の地表面（テニスコート面）２０ｄとの高低の差が大きくなる。
【０１０１】
これに対して、図１６（ａ）の状態のテニスコート用ライン１０上をテニスコート用ライン清掃具１のライン摺動部８のライン摺動縁部８８（８８ａ、或いは８８ｂ）が摺動し、ほうき部２でテニスコート用ライン１０上を掃くことで図１６（ｃ）の状態となる。つまり、テニスコート用ライン１０上をテニスコート用ライン清掃具１のライン摺動部８のライン摺動縁部８８（８８ａ、或いは８８ｂ）が摺動すると、テニスコート用ライン１０とテニスコート用ライン１０に隣接する土２０の地表面（テニスコート面）２０ｄとの境目を形成する土壁２０ｂが形成される。側面部８５、８５は、図１１に示すように、折れ曲がっており、ライン摺動縁部８８（８８ａ、或いは８８ｂ）に連続し第一側面部（傾斜面部）８５ａ、第二側面部（傾斜面部）８５ｂより形成されている。
【０１０２】
そして、この第一側面部８５ａが正面部８７（水平面）に対して立ち上がっている角度は、図１１（ｂ）に示すようにγであり、第二側面部８５ａが背面部８９（水平面）に対して立ち上がっている角度は、図１１（ａ）に示すようにβである。この角度β、γは、図１１に示すように、水平面に対して鋭角であり、テニスコート用ライン１０上をライン摺動部８のライン摺動縁部８８（８８ａ、或いは８８ｂ）が摺動すると、図１６（ｃ）に示すように、テニスコート用ライン１０に対して角度β（或いは角度γ）で傾斜した土壁２０ｂが形成される。
【０１０３】
そして、テニスコート用ライン１０上から取り除かれた、テニスコート用ライン１０に付着していた埃・泥等２０ｃは、図１６（ｃ）に示すように、テニスコート用ライン１０に対して角度β（或いは角度γ）で傾斜した土壁２０ｂを経た、テニスコート用ライン１０近傍の土（地面）２０の地表面（テニスコート面）２０ｄ上に載ることになる。以上のように、図１６（ｂ）に示す土壁２０ａはテニスコート用ライン１０に対して垂直に近い角度で形成されているのに対し、図１６（ｃ）に示す土壁２０ｂはテニスコート用ライン１０に対して緩やかに傾斜している。つぎに、図１６に示すテニスコート用ライン１０近傍の形状の場合を比較して説明する。
【０１０４】
まず、図１６（ａ）に示す土壁２０ａが形成されたテニスコート用ライン１０では、テニスコート用ライン１０に付着していた埃・泥等２０ｃによりテニスコート用ライン１０を視認することが困難になっている。また、テニスコート用ライン１０に付着していた埃・泥等２０ｃの状況によっては、テニスコートライン１０近傍に落下したテニスボールが土壁２０ａ近傍等に当たり、跳ね返る際に予測がつかない方向へテニスボールが飛び出し易い。さらに、テニスコートでテニスを行う人がテニスコート用ライン１０近傍を踏んむことで、テニスコート用ライン１０と土壁２０ａ、２０ａとで形成された凹部でつまずく可能性もある。
【０１０５】
また、図１６（ｂ）に示す土壁２０ａが形成されたテニスコート用ライン１０では、テニスコート用ライン１０に付着していた埃・泥等２０ｃがテニスコート用ライン１０から取り除かれているためテニスコート用ライン１０を視認することが可能になっている。しかしながら、図１６（ａ）と同様に、テニスコートライン１０近傍に落下したテニスボールが土壁２０ａ近傍等に当たり、跳ね返る際に予測がつかない方向へテニスボールが飛び出し易い。さらに、図１６（ａ）と同様に、テニスコートでテニスを行う人がテニスコート用ライン１０近傍を踏むことで、テニスコート用ライン１０と土壁２０ａ、２０ａとで形成された凹部でつまずく可能性もある。
【０１０６】
図１６（ａ）、（ｂ）に比較して、図１６（ｃ）では、テニスコート用ライン１０に対して傾斜して土壁２０ｂが形成されているため、テニスコート用ライン１０より離れたところからでもテニスコート用ライン１０を視認することが可能になっている。また、土壁２０ｂがテニスコート用ラインに対して傾斜して緩やかに形成されているため、図１６（ａ）、（ｂ）に比較して、テニスコートライン１０近傍に落下したテニスボールが土壁２０ａ近傍等に当たり、跳ね返る際に予測がつかない方向へテニスボールが飛び出し難い。さらに、テニスコートでテニスを行う人がテニスコート用ライン１０近傍を踏んでも、テニスコート用ライン１０と土壁２０ｂ、２０ｂとでなす傾斜が緩やかに形成されているため、テニスコート用ライン１０と土壁２０ｂ、２０ｂとでなす凹部でつまずき難い。
【０１０７】
つぎに、本発明であるテニスコート用ライン清掃具１を用いたテニスコートのネットの高さの設定について説明する。
【０１０８】
本発明であるテニスコート用ライン清掃具１を用いてテニスコートのネットの高さを設定する際には、図１７に示すように、テニスコート用ライン清掃具１のライン摺動部３の底面部３６を地面に向けて、ライン摺動部３の底面部３６をテニスコート用ライン１０の内のセンターサービスライン上に載せる。具体的には、テニスコート面にライン摺動部３の底面部３６を当接する。当接することで、棒状部材５がテニスコート用ライン１０の内のセンターサービスライン（地面）に対して垂直に起立する。また、ライン摺動部３の底面部３６を基準に、テニスコートの、規定のネットの高さと同じ長さの位置に、ネット高さ指示部７１、７２、７３を棒状部材５に設けてある。
【０１０９】
具体的には、ネット高さ指示部７１、７２、７３は、棒状部材５の長手方向を横断する方向に棒状部材５に貼付されたリング状の、棒状部材５の色彩とは異なる色彩のテープである。つまり、ネット高さ指示部７１、７２、７３は、棒状部材５と異なる色彩の塗料が塗布されたテープが、図１及び図１７に示すように、棒状部材５の外周にリング状に設けることで形成されている。ただし、ネット高さ指示部７１、７２、７３は、棒状部材５の外周に、棒状部材５と異なる色彩の塗料をリング状に塗布することで形成することも可能である。
【０１１０】
このように、ネット高さ指示部７１、７２、７３は、棒状部材５と異なる色彩の塗料を棒状部材５の外周にリング状に形成することに限定されず、例えば、棒状部材５の外周にリング状の溝部を設けることで形成することも可能である。このようなネット高さ指示部７１、７２、７３であれば、棒状部材５をいずれの方向から見てもネット高さ指示部を確認することが可能になる。
【０１１１】
そして、テニスコート用ライン清掃具１を地面（センターサービスライン）に対して垂直にしてテニスコートのネット１５と比較する。具体的には、図１７に示すように、テニスコート用ライン清掃具１のネット高さ指示部７１にテニスコートのネット１５のネット端部１５１を一致させる。ライン摺動部３の底面部３６からネット高さ指示部７１までは、規定のネット高さ（０．９１４ｍ）と同一の長さとなっており、ネット高さ指示部７とネット１５のネット端部１５１とが一致することで硬式テニスのネットの高さの設定が完了する。
【０１１２】
ソフトテニスの場合も同様であり、ソフトテニスの場合は、テニスコート用ライン清掃具１のライン摺動部３の底面部３６をテニスコート用ライン１０の内のサイドライン上に載せる。そして、テニスコート用ライン清掃具１を地面（サイドライン）に対して垂直にしてテニスコートのネット１５と比較する。具体的には、テニスコート用ライン清掃具１のネット高さ指示部７３にテニスコートのネット１５のネット端部１５１を一致させる。ライン摺動部３の底面部３６からネット高さ指示部７３までは、規定のネット高さ（１．０７ｍ）と同一の長さとなっており、ネット高さ指示部７３とネット１５のネット端部１５１とが一致することでソフトテニスのネットの高さが完了する。
【０１１３】
このとき、ネット端部がネット高さ指示部７３より低い場合には、ネット端部がネット高さ指示部７２と比較を行い、ネット端部がネット高さ指示部７２より低い場合には、ネット端部がネット高さ指示部７２を超えるように設定する。そして、ネット端部をネット高さ指示部７２とネット高さ指示部７３との間にくるようにセットすることでソフトテニスのネットの高さが完了する。
【０１１４】
以上では、ライン摺動部３を用いてテニスコート用ライン１０の清掃方法、テニスコートのネットの高さの設定等について説明したが、ライン摺動部３以外のライン摺動部３ａ等を用いても同様の動作を行うことが可能である。
【０１１５】
本例では、一方の平面部を正面部３７、６７、８７、９７、３２７とし、他方の平面部を背面部３９、６９、８９、９９としており、また、正面部８７、９７、３２７と底面部８６、９６、３２６とでなすライン摺動縁部（第一ライン摺動縁部８８ａ、９８ａ、３８ａ）と背面部８９、９９、３９と底面部８６、９６、３６とでなすライン摺動縁部（第二ライン摺動縁部８８ｂ、９８ｂ、３８ｂ）のうち短いライン摺動縁部（第一ライン摺動縁部８８ａ、９８ａ、３８ａ）を形成している正面部８７、９７、３２７を一方の平面部とし、長いライン摺動縁部（第二ライン摺動縁部８８ｂ、９８ｂ、３８ｂ）を形成している背面部８９、９９、３９を他方の平面部としている。ただし、正面部８７、９７、３２７と底面部８６、９６、３２６とでなすライン摺動縁部（第一ライン摺動縁部８８ａ、９８ａ、３８ａ）と背面部８９、９９、３９と底面部８６、９６、３６とでなすライン摺動縁部（第二ライン摺動縁部８８ｂ、９８ｂ、３８ｂ）のうち長いライン摺動縁部（第二ライン摺動縁部８８ｂ、９８ｂ、３８ｂ）を形成している背面部８９、９９、３９を一方の平面部とし、短いライン摺動縁部（第一ライン摺動縁部８８ａ、９８ａ、３８ａ）を形成している正面部８７、９７、３２７を他方の平面部とすることも可能である。
【図面の簡単な説明】
【０１１６】
【図１】本発明であるテニスコート用ライン清掃具の全体図である。
【図２】本発明であるテニスコート用ライン清掃具のほうき部の説明図である。（ａ）は、ほうき部の正面方向から示す説明図である。（ｂ）は、ほうき部の側方方向から示す説明図である。
【図３】本発明であるテニスコート用ライン清掃具のほうき部にリング状部材が取り付けられた状態を示す説明図である。（ａ）は、ほうき部の毛束部にリング状部材が取り付けられた状態を示す説明図である。（ｂ）は、ほうき部の毛束部の下方にリング状部材が取り付けられた状態を示す説明図である。
【図４】本発明であるテニスコート用ライン清掃具のライン摺動部の説明図である。（ａ）は、ライン摺動部を斜め方向から示す説明図である。（ｂ）は、ライン摺動部を側面方向から示す説明図である。
【図５】ライン摺動部の別の態様を示す説明図である。
【図６】図５に示すライン摺動部と棒状部材との連結を示す説明図である。
【図７】ライン摺動部と棒状部材との連結を示す説明図である。
【図８】ライン摺動部の他の態様を示す説明図である。（ａ）は、ライン摺動部の他の態様の正面斜め方向から示す説明図である。（ｂ）は、ライン摺動部の他の態様の正面方向から示す説明図である。
【図９】図８に示すライン摺動部の説明図である。（ａ）は、図８に示すライン摺動部の背面斜め方向から示す説明図である。（ｂ）は、図８に示すライン摺動部の背面方向から示す説明図である。
【図１０】ライン摺動部のさらに他の態様を示す説明図である。（ａ）は、ライン摺動部のさらに他の態様の正面斜め方向から示す説明図である。（ｂ）は、ライン摺動部のさらに他の態様の側面方向から示す説明図である。
【図１１】ライン摺動部の別の態様を示す説明図である。（ａ）は、ライン摺動部の別の態様の正面斜め方向から示す説明図である。（ｂ）は、ライン摺動部の別の態様の背面斜め方向から示す説明図である。
【図１２】図１１に示すライン摺動部の変形した態様を示す説明図である。（ａ）は、ライン摺動部の別の態様の正面斜め方向から示す説明図である。（ｂ）は、ライン摺動部の別の態様の背面斜め方向から示す説明図である。
【図１３】図１１に示すライン摺動部の別の変形した態様を示す説明図である。（ａ）は、ライン摺動部の別の態様の正面斜め方向から示す説明図である。（ｂ）は、ライン摺動部の別の態様の背面斜め方向から示す説明図である。
【図１４】テニスコート用ラインをライン摺動部が摺動する状態を示す説明図である。
【図１５】ライン摺動部がテニスコート用ラインを固定したピンを通過する状態を示す説明図である。（ａ）はライン摺動部がテニスコート用ラインを固定したピンと接触した状態を示す説明図である。（ｂ）はライン摺動部がテニスコート用ラインを固定したピンを乗り越えていく状態を示す説明図である。
【図１６】テニスコート用ラインの長手方向を横断した、地表面を含めたテニスコート用ライン近傍の説明図である。（ａ）は、テニスコート用ライン上に埃・泥等が付着した状態を示す説明図である。（ｂ）は、図４に示すライン摺動部がテニスコート用ライン上を摺動した後の、地表面を含めたテニスコート用ライン近傍の説明図である。（ｃ）は、図１１に示すライン摺動部がテニスコート用ライン上を摺動した後の、地表面を含めたテニスコート用ライン近傍の説明図である。
【図１７】本発明であるテニスコート用ライン清掃具を用いたテニスコートのネットの高さの設定について示す説明図である。
【符号の説明】
【０１１７】
１…テニスコート用ライン清掃具
２…ほうき部、２１…スカート部、２２…毛束部、２２ａ…毛束部の根元、２２ｂ…毛束部の先端部
３、３ａ、６、８、９…ライン摺動部、３２１…第一ライン摺動部、３１、８１、６１１、９１…軸部、３２、６２、８２、９２…本体部、３３、８３、９３、６３１…端面部、３４、６４、８４、９４…突出部、３４ａ、６４、９４…傾斜面、３５、６５、８５、９５…側面部、３６、６６、８６、９６、３２６…底面部、３７、６７、８７、９７、３２７…正面部（一方の平面部）、３８、６８、８８、９８…ライン摺動縁部（円弧部）、３８ａ、６８ａ、８８ａ、９８ａ…第一ライン摺動縁部（円弧部）、３８ｂ、６８ｂ、８８ｂ、９８ｂ…第二ライン摺動縁部（円弧部）、８５１、８５２、８５３、９５１、９５２…目印表示、９５１ａ…点線（投影線）、３０、６０、８０、９０…孔部、３９、６９、８９、９９…背面部（他方の平面部）
４…リング状部材
５…棒状部材、５１…連結部、５２…中空部、５３…端面部、５４…孔部
７…ネット高さ指示部、７１…硬式テニス用のネット高さ指示部、７２、７３…ソフトテニス用のネット高さ指示部
１０…テニスコート用ライン、１１…ピン
１２…中間部材、１２１…端部、１２２…孔部
１３…ボルト
１５…ネット、１５１…ネット端部
２０…テニスコート用ライン近傍の土（地面）、２０ａ、２０ｂ…テニスコート用ラインとテニスコート用ラインに隣接する土（地面）との境目を形成する土壁、２０ｃ…テニスコート用ラインに付着した埃・泥等、２０ｄ…地表面（テニスコート面）
【図１】
2010077641.tif 000003
【図２】
2010077641.tif 000004
【図３】
2010077641.tif 000005
【図４】
2010077641.tif 000006
【図５】
2010077641.tif 000007
【図６】
2010077641.tif 000008
【図７】
2010077641.tif 000009
【図８】
2010077641.tif 000010
【図９】
2010077641.tif 000011
【図１０】
2010077641.tif 000012
【図１１】
2010077641.tif 000013
【図１２】
2010077641.tif 000014
【図１３】
2010077641.tif 000015
【図１４】
2010077641.tif 000016
【図１５】
2010077641.tif 000017
【図１６】
2010077641.tif 000018
【図１７】
2010077641.tif 000019
【手続補正書】
【提出日】平成21年2月5日(2009.2.5)
【手続補正１】
【補正対象書類名】特許請求の範囲
【補正対象項目名】全文
【補正方法】変更
【補正の内容】
【特許請求の範囲】
【請求項１】
棒状部材の、一方の端部には、毛束部が設けられ、前記毛束部の先端部側をテニスコート用ラインに接触させて移動することで前記テニスコート用ラインの上を掃くことが可能なほうき部が設けられ、
前記棒状部材の、他方の端部には、
前記棒状部材の前記他方の端部に取り付けられた軸部と、
前記軸部が組み込まれた端面部と、前記端面部に組み込まれた前記軸部に垂直に連結された前記棒状部材が地面に対して垂直に起立するように、前記端面部に対向して、前記端面部と平行に形成された底面部と、前記底面部と前記端面部との間にわたって、前記底面部及び前記端面部を横断する方向に互いに対向して形成された、平面部と、前記平面部同士との間に挟み込まれ、前記底面部及び前記端面部の側方に形成された側面部と、を備え、一方の前記平面部から他方の前記平面部を貫通した孔部が形成された本体部と、を備えたライン摺動部が設けられていることを特徴とするテニスコート用ライン清掃具。
【請求項２】
前記ほうき部の前記毛束部には、前記毛束部の外周を巻回して、前記毛束部の前記先端部から根元へ向けての前記毛束部の長さを調整することが可能なリング状部材を備えたことを特徴とする請求項１に記載のテニスコート用ライン清掃具。
【請求項３】
前記ライン摺動部の前記本体部の先端側の、前記底面部と一方の前記平面部となす辺部は、前記底面部と一方の前記平面部とを連続して連結する円弧である第一ライン摺動縁部が形成されているか、或いは、前記底面部と他方の前記平面部となす辺部は、前記底面部と他方の前記平面部とを連続して連結する円弧である第二ライン摺動縁部が形成されていることを特徴とする請求項１に記載のテニスコート用ライン清掃具。
【請求項４】
前記ライン摺動部の前記本体部の先端側の、前記底面部と一方の前記平面部となす辺部は、前記底面部と一方の前記平面部とを連続して連結する円弧である第一ライン摺動縁部が形成され、前記底面部と他方の前記平面部となす辺部は、前記底面部と他方の前記平面部とを連続して連結する円弧である第二ライン摺動縁部が形成されていることを特徴とする請求項１に記載のテニスコート用ライン清掃具。
【請求項５】
前記第一ライン摺動縁部の長さと前記第二ライン摺動縁部の長さとが異なることを特徴とする請求項４に記載のテニスコート用ライン清掃具。
【請求項６】
前記第一ライン摺動縁部の長さと前記第二ライン摺動縁部の長さの短い方である前記第一ライン摺動縁部の長さを示す二本のラインである目印表示が、他方の前記平面部側に、前記底面部と前記端面部との間に前記底面部から前記端面部にわたって形成されていることを特徴とする請求項４又は５に記載のテニスコート用ライン清掃具。      
【請求項７】
前記第一ライン摺動縁部の長さと前記第二ライン摺動縁部の長さの短い方である前記第二ライン摺動縁部の長さを示す二本のラインである目印表示が、一方の前記平面部側に、前記底面部と前記端面部との間に前記底面部から前記端面部にわたって形成されていることを特徴とする請求項４又は５に記載のテニスコート用ライン清掃具。
【請求項８】
前記円弧の半径は１．０ｍｍから２．０ｍｍの範囲内であることを特徴とする請求項３乃至７のいずれかに記載のテニスコート用ライン清掃具。
【請求項９】
前記本体部の前記側面部は、対向する前記平面部のそれぞれの側方から突出して折れ曲がり、第一側面部と第二側面部とを備え、前記第一側面部が一方の前記平面部と連続し、前記第二側面部が他方の前記平面部と連続し、前記第一側面部が一方の前記平面部に対して鋭角で立ち上がり、前記第二側面部が他方の前記平面部に対して鋭角で立ち上がっていることを特徴とする請求項１に記載のテニスコート用ライン清掃具。
【請求項１０】
前記本体部の一方の前記平面部側には、前記第二ライン摺動縁部の長さを示す二本のラインである目印表示が前記底面部と前記端面部との間に前記底面部から前記端面部にわたって形成されており、前記本体部の他方の前記平面部側には、前記第一ライン摺動縁部の長さを示す二本のラインである目印表示が前記底面部と前記端面部との間に前記底面部から前記端面部にわたって形成されていることを特徴とする請求項９に記載のテニスコート用ライン清掃具。
【請求項１１】
前記本体部の、一方の前記平面部側及び他方の前記平面部で、前記底面部と前記端面部との間に形成される前記目印表示は、前記本体部の、一方の前記平面部側及び他方の前記平面部側に貼付された、直線状の、前記本体部の色彩とは異なる色彩のテープであることを特徴とする請求項１０に記載のテニスコート用ライン清掃具。
【請求項１２】
前記ライン摺動部は、前記棒状部材の前記他方の端部に着脱可能に取り付けられていることを特徴とする請求項１に記載のテニスコート用ライン清掃具。
【請求項１３】
テニスコート面に前記ライン摺動部の前記底面部を当接することで、前記ライン摺動部の前記底面部を基準に、テニスコートの規定のネットの高さと同じ長さの位置に、ネット高さ指示部を前記棒状部材に設けたことを特徴とする請求項１に記載のテニスコート用ライン清掃具。
【請求項１４】
前記ネット高さ指示部は、前記棒状部材の長手方向を横断する方向に前記棒状部材に貼付されたリング状の、前記棒状部材の色彩とは異なる色彩のテープであることを特徴とする請求項１３に記載のテニスコート用ライン清掃具。
【手続補正２】
【補正対象書類名】明細書
【補正対象項目名】００１５
【補正方法】変更
【補正の内容】
【００１５】
さらに、請求項５に記載の発明は、請求項４に記載の構成に加え、前記第一ライン摺動縁部の長さと前記第二ライン摺動縁部の長さとが異なることを特徴とする。
【手続補正３】
【補正対象書類名】明細書
【補正対象項目名】００１７
【補正方法】変更
【補正の内容】
【００１７】
また、請求項６に記載の発明は、請求項４又は５に記載の構成に加え、前記第一ライン摺動縁部の長さと前記第二ライン摺動縁部の長さの短い方である前記第一ライン摺動縁部の長さを示す二本のラインである目印表示が、他方の前記平面部側に、前記底面部と前記端面部との間に前記底面部から前記端面部にわたって形成されていることを特徴とする。
【手続補正４】
【補正対象書類名】明細書
【補正対象項目名】００１９
【補正方法】変更
【補正の内容】
【００１９】
さらに、請求項７に記載の発明は、請求項４又は５に記載の構成に加え、前記第一ライン摺動縁部の長さと前記第二ライン摺動縁部の長さの短い方である前記第二ライン摺動縁部の長さを示す二本のラインである目印表示が、一方の前記平面部側に、前記底面部と前記端面部との間に前記底面部から前記端面部にわたって形成されていることを特徴とする。